(57)【要約】【課題】調光フィルムに関して、従来に比して一段と確実に透過光を遮光することができる。【解決手段】透明フィルム材による基材６、１５に少なくとも配向層１３、１７を設けてなる第１及び第２の積層体５Ｄ、５Ｕにより液晶層８を挟持し、第１及び又は第２の積層体５Ｄ、５Ｕに設けられた透明電極１１、１６の駆動により液晶層８に係る液晶の配光を制御して透過光を制御する。第１及び第２の積層体５Ｄ、５Ｕの基材６、１５の光軸が直交する。【選択図】図１
2017067869.tif 000002
【特許請求の範囲】
【請求項１】
透明フィルム材による基材に少なくとも配向層を設けてなる第１及び第２の積層体により液晶層を挟持し、
前記第１及び又は第２の積層体に設けられた透明電極の駆動により前記液晶層に係る液晶の配光を制御して透過光を制御し、
前記第１及び第２の積層体の基材の光軸が直交する
調光フィルム。
【請求項２】
前記第１及び第２の積層体の前記液晶層とは逆側面に、直線偏光板の光学的機能層を備える
請求項１に記載の調光フィルム。
【請求項３】
前記透明フィルム材が、
ポリカーボネートフィルム、ＣＯＰフィルムの何れかである
請求項１又は請求項２に記載の調光フィルム。
【発明の詳細な説明】
【技術分野】
【０００１】
本発明は、例えば窓に貼り付けて外来光の透過を制御する電子ブラインド等に利用可能な調光フィルムに関する。
【背景技術】
【０００２】
従来、例えば窓に貼り付けて外来光の透過を制御する調光フィルムに関する工夫が種々に提案されている（特許文献１、２）。このような調光フィルムの１つに、液晶を利用したものがある。この液晶を利用した調光フィルムは、透明電極を作製した透明フィルム材により液晶材料を挟持して液晶セルが作製され、この液晶セルを直線偏光板により挟持して作成される。これによりこの調光フィルムでは、液晶に印加する電界の可変により液晶の配向を可変して外来光を遮光したり透過したりし、さらには透過光量を可変したりし、これらにより外来光の透過を制御する。
【０００３】
ところでこの種の調光フィルムでは、遮光時における透過率を低減して、従来に比して一段と確実に透過光を遮光できるようにすることが望まれる。
【先行技術文献】
【特許文献】
【０００４】
【特許文献１】特開平０３−４７３９２号公報
【特許文献２】特開平０８−１８４２７３号公報
【発明の概要】
【発明が解決しようとする課題】
【０００５】
本発明はこのような状況に鑑みてなされたものであり、調光フィルムに関して、従来に比して一段と確実に透過光を遮光できるようにすることを目的とする。
【課題を解決するための手段】
【０００６】
本発明者は、上記課題を解決するために鋭意研究を重ね、液晶層の両側で光軸（遅相軸方向）が直交するように透明フィルムを配置することにより、この透明フィルムによる位相差の影響を排除し、遮光時おける透過率を低減する、との着想に至り、本発明を完成するに至った。なおここで遅相軸は、屈折率異方性を有する材料における屈折率が最大となる方向である。
【０００７】
具体的には、本発明では、以下のようなものを提供する。
【０００８】
（１）  透明フィルム材による基材に少なくとも配向層を設けてなる第１及び第２の積層体により液晶層を挟持し、
前記第１及び又は第２の積層体に設けられた透明電極の駆動により前記液晶層に係る液晶の配光を制御して透過光を制御し、
前記第１及び第２の積層体の基材の光軸が直交する調光フィルム。
【０００９】
（１）によれば、第１又は第２の積層体の基材で付与された透過光の位相差を、第２又は第１の積層体の基材の位相差により打ち消すことができ、これにより基材の光学異方性による遮光時における透過率の増大を有効に回避して、遮光時における透過率を低減することができ、従来に比して一段と確実に透過光を遮光することができる。
【００１０】
（２）  （１）において、
前記第１及び第２の積層体の前記液晶層とは逆側面に、直線偏光板の光学的機能層を備える調光フィルム。
【００１１】
（２）によれば、より具体的構成により、従来に比して一段と確実に透過光を遮光することができる。
【００１２】
（３）  （１）又は（２）において、
前記透明フィルム材が、
ポリカーボネートフィルム、ＣＯＰフィルムの何れかである調光フィルム。
【００１３】
（３）によれば、より具体的な基材の構成により、従来に比して一段と確実に透過光を遮光することができる。
【発明の効果】
【００１４】
本発明によれば、調光フィルムに関して、従来に比して一段と確実に透過光を遮光することができる。
【図面の簡単な説明】
【００１５】
【図１】本発明の第１実施形態に係る調光フィルムを示す断面図である。
【図２】図１の調光フィルムの詳細構成の説明に供する図である。
【図３】図１の調光フィルムの他の詳細構成の説明に供する図である。
【図４】図１の調光フィルムの比較例の説明に供する図である。
【図５】図１の調光フィルムの他の比較例の説明に供する図である。
【図６】図１の調光フィルムの製造工程の説明に供するフローチャートである。
【発明を実施するための形態】
【００１６】
〔第１実施形態〕
〔調光フィルム〕
図１は、本発明の第１実施形態に係る調光フィルムを示す断面図である。この調光フィルム１は、建築物の窓ガラス、ショーケース、屋内の透明パーテーション等の調光を図る部位に、粘着剤層等により貼り付けて使用され、印加電圧の可変により透過光の光量を制御する。
【００１７】
この調光フィルム１は、液晶を利用して透過光を制御するフィルム材あり、直線偏光板２、３により調光フィルム用の液晶セル４を挟持して構成される。ここで直線偏光板２、３は、ポリビニルアルコール（ＰＶＡ）にヨウ素等を含浸させた後、延伸して直線偏光板としての光学的機能を果たす光学機能層が形成され、ＴＡＣ（トリアセチルセルロース）等の透明フィルム材による基材により光学機能層を挟持して作製される。直線偏光板２、３は、クロスニコル配置により、紫外線硬化性樹脂等による接着剤層により液晶セル４に配置される。なお直線偏光板２、３には、それぞれ液晶セル４側に光学補償に供する位相差フィルム２Ａ、３Ａが設けられるものの、位相差フィルム２Ａ、３Ａは、必要に応じて省略してもよい。
【００１８】
液晶セル４は、後述する透明電極への印加電圧により透過光の偏光面を制御する。これにより調光フィルム１は、透過光を制御して種々に調光を図ることができるように構成される。
【００１９】
〔液晶セル〕
液晶セル４は、フィルム形状による第１及び第２の積層体である上側積層体５Ｕ及び下側積層体５Ｄにより液晶層８を挟持して構成される。下側積層体５Ｄは、透明フィルム材による基材６に、透明電極１１、スペーサ１２、配向層１３を作製して形成される。上側積層体５Ｕは、透明フィルム材による基材１５に、透明電極１６、配向層１７を積層して形成される。液晶セル４は、この上側積層体５Ｕ及び下側積層体５Ｄに設けられた透明電極１１、１６の駆動により、ＴＮ（Ｔｗｉｓｔｅｄ  Ｎｅｍａｔｉｃ）方式により液晶層８に設けられた液晶材料の配向を制御し、これにより透過光の偏光面を制御する。
【００２０】
なおＴＮ方式に代えて、ＶＡ（Ｖｉｒｔｉｃａｌ  Ａｌｉｇｎｍｅｎｔ）方式、ＩＰＳ（Ｉｎ−Ｐｌａｃｅ−Ｓｗｉｔｃｈｉｎｇ）方式等の駆動方式を適用するようにしてよい。なおＩＰＳ方式により駆動する場合、上側積層体５Ｕ又は下側積層体５Ｄの透明電極１１又は１６の何れか一方が省略され、他方の透明電極のパターンニングにより液晶材料に駆動用の電界を印加する。
【００２１】
基材６、１５は、この種のフィルム材に適用可能な種々の透明フィルム材を適用することができるものの、光学異方性の小さなフィルム材を適用することが望ましい。この実施形態において、基材６、１５は、ポリカーボネートフィルムが適用されるものの、ＣＯＰ（シクロオレフィンポリマー）フィルム等を適用してもよい。
【００２２】
透明電極１１、１６は、この種のフィルム材に適用される各種の電極材料を適用することができ、この実施形態ではＩＴＯ（Ｉｎｄｉｕｍ  Ｔｉｎ  Ｏｘｉｄｅ）による透明電極材により形成される。スペーサ１２は、液晶層８の厚みを規定するために設けられ、各種の樹脂材料を広く適用することができるものの、この実施形態ではフォトレジストにより作製され、透明電極１１を作製してなる基材６の上に、フォトレジストを塗工して露光、現像することにより作製される。なおスペーサ１２は、上側積層体５Ｕに設けるようにしてもよく、上側積層体５Ｕ及び下側積層体５Ｄの双方に設けるようにしてもよい。
【００２３】
配向層１３、１７は、ポリイミド樹脂層をラビング処理して作製される。なお配向層１３、１７は、液晶層８に係る液晶材料に対して配向規制力を発現可能な各種の構成を適用することができ、いわゆる光配向層により作製してもよく、ラビング処理、研磨処理による微細なライン状凹凸形状を賦型処理により作製して形成してもよい。なおスペーサ１２は、配向層１３の上に設けるようにしてもよい。
【００２４】
なお光配向材料は、光配向の手法を適用可能な各種の材料を適用することができるものの、この実施形態では、一旦配向した後には、紫外線の照射によって配向が変化しない、例えば光２量化型の材料を使用する。この光２量化型の材料については、「Ｍ．Ｓｃｈａｄｔ，  Ｋ．Ｓｃｈｍｉｔｔ，  Ｖ．  Ｋｏｚｉｎｋｏｖ  ａｎｄ  Ｖ．  Ｃｈｉｇｒｉｎｏｖ  ：  Ｊｐｎ．  Ｊ．  Ａｐｐｌ．Ｐｈｙｓ．，  ３１，  ２１５５  （１９９２）」、「Ｍ．  Ｓｃｈａｄｔ，  Ｈ．  Ｓｅｉｂｅｒｌｅ  ａｎｄ  Ａ．  Ｓｃｈｕｓｔｅｒ  ：  Ｎａｔｕｒｅ，  ３８１，  ２１２（１９９６）」等に開示されている。
【００２５】
液晶層８は、この種の調光フィルムに適用可能な各種の液晶材料を広く適用することができる。なお液晶セル４は、液晶層８を囲むように、シール材１９が配置され、このシール材１９により上側積層体５Ｕ、下側積層体５Ｄが一体に保持され、液晶材料の漏出が防止される。
【００２６】
〔基材の配置〕
図２は、調光フィルム１における基材６、１５の配置の説明に供する図である。調光フィルム１は、同一の材料、厚みによる透明フィルム材が基材６、１５に適用されて、光軸Ｌ１が直交するように基材６、１５が配置される。ここでこの光軸Ｌ１の直交の範囲は、計測誤差、製造誤差等をも含めて２つの光軸Ｌ１の成す角度が９０度±５度以内ではあるものの、遮光時における透過率を実用上充分に抑圧する観点からは、９０度±２度以内であることが好ましく、さらには９０度±１度以内であることがより好ましい。また基材の厚みは、バラツキがあることにより、同一のフィルム材を基材６、１５に適用した場合、基材６の厚み±１０μｍが基材１５の厚みであるものの、遮光時における透過率を実用上充分に抑圧する観点からは、基材６の厚み±１０μｍが基材１５の厚みであることが好ましく、さらには基材６の厚み±５μｍが基材１５の厚みであることがより好ましい。これによりこの調光フィルム１では、基材６、１５で面内位相差が等しくなるようにして、基材６で透過光に付与される位相差を、基材１５で付与される位相差により打ち消すようにし、遮光時における透過率（いわゆる黒透過率である）を低減する。これにより調光フィルム１は、従来に比して一段と確実に透過光を遮光する。
【００２７】
すなわちこの実施形態のように、クロスニコル配置による直線偏光板２、３を液晶セル４の両側に配置し、液晶セル４により透過光の偏光面を制御して透過光を制御する構成において、液晶セル４の基材６、１５が光学異方性を備えている場合、液晶層８の入射光は、基材６、１５の光学異方性により楕円偏光により液晶層８に入射することになる。その結果、何ら透明電極１１、１６に電圧を印加していない状態で（液晶層８への無電界時）、出射側直線偏光板の透過軸方向成分を含んでなる透過光が液晶層８から出射されることになり、これにより充分に透過率を低減できなくなる。これによりこの種の調光フィルムでは、基材６、１５に充分に光学異方性の小さな透明フィルム材が適用される。具体的には、基材６、１５にはポリカーボネートフィルム等が適用され、このポリカーボネートフィルムは面内位相差が１０ｎｍ程度と極めて小さい。
【００２８】
しかしながら種々に実験した結果によれば、このように光学異方性が小さな透明フィルム材であっても、この小さな面内位相差により遮光時の透過率が増大し、この透過率の増大にあっては、無視し得ないことが判った。
【００２９】
しかしながらこの実施形態のように、同一の材料、膜厚による透明フィルム材による基材６、１５を、光軸Ｌ１が直交するように配置する場合には、入射側の基材で透過光に付与された位相差を、出射側の基材で打ち消すことができ、これにより遮光時における透過率を格段に低減することができる。具体的に、面内位相差が１０ｎｍの基材を光軸が平行となるように配置した場合、遮光時の透過率は２％程度であるのに対し、この基材を光軸が直交するように配置した場合、遮光時の透過率を０．２％程度にすることができ、これにより光軸平行配置の場合に比して透過率を１／１０にすることができる。
【００３０】
なおこの実施形態において、調光フィルム１は、この基材６、１５の光軸Ｌ１に対して、基材６、１５に積層される直線偏光板３、２は、それぞれ透過軸Ｌ２方向が平行となるように設定されているものの、直線偏光板３、２にあっては、要はクロスニコル配置により配置して、配向層１３、１７による液晶材料の配向方向に対応するように配置されていれば良く、基材６、１５の光軸Ｌ１に対して種々の向きに配置することができる。
【００３１】
〔実験結果〕
〔実施例１〕
両面にハードコート層が作製されてなる厚み１００μｍによるポリカーボネートフィルム材を基材６、１５に適用し、上述の第１実施形態の構成により調光フィルムを作製した。なお位相差フィルム２Ａ、３Ａは省略した。基材６、１５、直線偏光板２、３の配置は、図２について上述した傾きによる配置である。この実施例１では、無電界時、透過率が０．２％であり、遮光時、充分に透過光を遮光できることが確認された。
【００３２】
〔実施例２〕
実施例２は、図３に示すように、直線偏光板２、３の透過軸Ｌ２が基材１５、６の光軸Ｌ１に対して４５度の角度を成すように配置した。なおこれによりこの実施例２において、配向層１３、１７は、基材６、１５の光軸Ｌ１に対して斜め４５度の方向がラビング方向に設定される。この実施例２では、この直線偏光板２、３の配置に関する構成が異なる点を除いて、実施例１と同一に構成される。この実施例２でも、無電界時、透過率が０．２％であり、遮光時、充分に透過光を遮光できることが確認された。
【００３３】
〔比較例１〕
比較例１は、図４に示すように、基材５、１６の光軸Ｌ１が平行になるように配置した点を除いて、実施例１と同一に構成した。この比較例１では、無電界時、透過率が２．０％であり、透過率が高いことが判った。
【００３４】
〔比較例２〕
比較例２は、図５に示すように、基材５、１６の光軸Ｌ１が平行になるように配置した点を除いて、実施例２と同一に構成した。この比較例２では、無電界時、透過率が２．０％であり、透過率が高いことが判った。
【００３５】
〔製造工程〕
図６は、調光フィルムの製造工程を示すフローチャートである。この製造工程は、電極作製工程ＳＰ２おいて、フォトリソグラフィーの手法を適用して、基材６、１５の上に透明電極１１、１６をそれぞれ作成する。さらに続いてスペーサ作製工程ＳＰ３において、基材６にフォトレジスト膜を作製した後、露光、現像処理し、これによりスペーサ１２を作製する。続いて製造工程は、配向層作製工程ＳＰ４において、スペーサ１２を作製してなる基材６の上に、また透明電極１６を作製してなる基材１５の上に、ポリイミド樹脂層の塗工液を塗工した後、乾燥、加熱処理し、これによりポリイミド膜を作製する。またこのポリイミド膜をラビング処理し、これにより配向層１３、１７を作製する。
【００３６】
また続いてこの製造工程は、封止工程ＳＰ５において、配向層１３を作製してなる基材６に、ディスペンサーを使用して枠形状によりシール材を塗布した後、この枠形状により囲まれる所定位置に、ディスペンサーを使用して液晶層８に係る液晶材料を滴下する。その後、この製造工程は、基材６、１５を積層した後、押圧して加熱し、これにより液晶層８を挟持するようにして、上側積層体５Ｕ及び下側積層体５Ｄをシール材１９により貼り合せて一体化し、調光フィルム１を作製する。
【００３７】
〔他の実施形態〕
以上、本発明の実施に好適な具体的な構成を詳述したが、本発明は、本発明の趣旨を逸脱しない範囲で、上述の実施形態を種々に変更することができる。
【００３８】
すなわち上述の実施形態では、ＴＮ方式により液晶材料を駆動する場合について述べたが、本発明はこれに限らず、ＶＡ方式、ＩＰＳ方式により駆動する場合にも広く適用することができる。
【００３９】
また上述の実施形態では、フォトレジストによりスペーサを作製する場合について述べたが、本発明はこれに限らず、いわゆるビーズスペーサを適用するようにしてもよい。
【符号の説明】
【００４０】
１  調光フィルム
２、３  直線偏光板
２Ａ、３Ａ  位相差フィルム
４  液晶セル
５Ｄ  下側積層体
５Ｕ  上側積層体
６、１５  基材
８  液晶層
１１、１６  透明電極
１２  スペーサ
１３、１７  配向層
１９  シール材
【図１】
2017067869.tif 000003
【図２】
2017067869.tif 000004
【図３】
2017067869.tif 000005
【図４】
2017067869.tif 000006
【図５】
2017067869.tif 000007
【図６】
2017067869.tif 000008
【手続補正書】
【提出日】平成28年3月31日(2016.3.31)
【手続補正１】
【補正対象書類名】特許請求の範囲
【補正対象項目名】全文
【補正方法】変更
【補正の内容】
【特許請求の範囲】
【請求項１】
透明フィルム材による基材に少なくとも配向層を設けてなる第１及び第２の積層体により液晶層を挟持し、
前記第１及び第２の積層体の前記液晶層とは逆側面に、直線偏光板の光学的機能層を備え、
前記第１及び又は第２の積層体に設けられた透明電極の駆動により前記液晶層に係る液晶の配光を制御して透過光を制御し、
前記第１及び第２の積層体の基材の遅相軸が直交し、
前記透明フィルム材が、
ポリカーボネートフィルム、ＣＯＰフィルムの何れかである
調光フィルム。